(57)【要約】【課題】インスツルメントホース側に設けられている接続端子を、ワークテーブル（ユニット側）側に設けられている複数個の接続端子のいずれにも接続可能とするとともに、接続されているハンドピースに適したエアー，電気，水等を供給可能とする。【解決手段】インスツルメントホース９は、図示しない一方の端部に、歯科ユニット本体側に固定された複数の接続端子のうちの任意の接続端子にワンタッチ形式にて着脱自在に接続される接続端子を有し、他方の端部にハンドピース８の接続端子１０に接続される接続端子１１を有する。ハンドピース８内には各ハンドピースの種類ごとに異なる値の電気抵抗Ｒを有し、該電気抵抗の値をユニット本体側で検出して当該ハンドピースを判別し、該ハンドピースが接続されたインスツルメントホースに該ハンドピースに適したエアー，電気，水等を供給する。【選択図】図１
2007151866.tif 000002
【特許請求の範囲】
【請求項１】
歯科ユニット本体側に固定された複数の接続端子のうちの任意の接続端子にワンタッチ形式にて着脱自在に接続される接続端子を有するインスツルメントホースと、該インスツルメントホースの先端に接続されたハンドピースとから成り、該ハンドピース内にはハンドピースの種類ごとに異なる値の電気抵抗を有し、該電気抵抗の値を前記インスツルメントホースを通してユニット本体側で検出して当該ハンドピースを判別し、該ハンドピースが接続されたインスツルメントホースに該ハンドピースに適したエアー，電気，水等を供給するようにしたことを特徴とする歯科治療ユニット。
【請求項２】
前記電気抵抗の値を可変としたことを特徴とする請求項１に記載の歯科治療ユニット。
【請求項３】
前記インスツルメントの接続端子とハンドピースの接続端子には対向した位置にピン挿入孔を有するとともに、これら対向したピン挿入孔に挿入するためのピンを有し、該ピンを通して前記インスツルメントホースとハンドピースを連結するようにしたことを特徴とする請求項１又は２に記載の歯科治療ユニット。
【請求項４】
前記ピン挿入孔の位置をハンドピースの種類ごとに異なるようにしたことを特徴とする請求項３に記載の歯科治療ユニット。
【発明の詳細な説明】
【技術分野】
【０００１】
本発明は、歯科治療ユニット、より詳細には、歯科治療において、歯科ユニット本体にワンタッチ形式で着脱自在に装着され、歯科治療ハンドピースに水，エアー，電気等を供給するインスツルメントホースの端子構造に係り、歯科ユニット本体側に複数の接続端子がある場合に、歯科ユニット本体側の所望の接続端子に所望のインスツルメントホースを接続可能としたものである。
【背景技術】
【０００２】
図３は、本発明が適用される歯科治療ユニットの一例を示す全体構成図で、歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
図４は、図３に示したインスツルメントホース９をユニット本体にワンタッチにて着脱自在に接続するようにした例を説明するための拡大図で、図中、２は図３に示したワークテーブル２に相当するワークテーブルで、該ワークテーブル２の下端面には、インスツルメントホース９の接続端子１２を着脱自在に接続するための接続端子２０（２０1〜２０4）が設けられており、通常は、この接続端子２０にインスツルメントホース９の端子１２がワンタッチ形成にて接続され、歯科治療ユニット側の水回路、エアー回路、電気回路等がハンドピース８側の水回路、エアー回路、電気回路等と接続され、所望の歯科治療が行なわれるようになっている。なお、図には、接続端子２０をワークテーブル２の下端面に設けた例を示したが、この接続端子２０は、ワークテーブルの下端面に限定されるものではなく、ユニット側の所望の箇所に設けてもよい。
【０００４】
インスツルメントホース９は、図４に示したように、一方の端部１１はハンドピース（インスツルメント）８の接続端子１０に着脱自在に装着され、他方の端部には、ワークテーブルの接続端子２０に着脱自在に接続される接続端子１２が設けられている。この接続端子１２には、例えば、ロック部材１３が設けられており、このロック部材１３の爪を接続端子２０に設けられた引掛け孔２１に着脱させることにより、該インスツルメントホース９を歯科治療ユニット１０に対してワンタッチ形式にて着脱できるようになっている。
【０００５】
図４には、ワークテーブル２に単一のインスツルメントホースが接続される例を示したが、実際には、図３に示したように、ワークテーブル２には多数種のインスツルメントホース９が接続され、それぞれのインスツルメントホース９の先端には、それぞれのインスツルメントホース９に適したハンドピース８が接続されるようになっている。ワークテーブル２側（ユニット側）に設けられた接続端子２０とインスツルメントホース９側に設けられた接続端子１２とは対の関係になっており、ワークテーブル２側の接続端子２０とインスツルメントホース９側の接続端子１２とは固定関係になっており、インスツルメントホース９側の接続端子１２をワークテーブル２側の任意所望の接続端子に接続することは不可能であり、使い勝手が悪かった。
【発明の開示】
【発明が解決しようとする課題】
【０００６】
本発明は、上述のごとき不具合を解決するためになされたもので、特に、インスツルメントホース側に設けられている接続端子を、ワークテーブル（ユニット側）側に設けられている複数個の接続端子のいずれにも接続可能とするとともに、接続されたインスツルメントホースに適した（換言すれば、接続されたインスツルメントホースに接続されているハンドピースに適した）エアー，電気，水等を供給可能としたので、使用しようとするインスツルメントホースをユニット側に設置されている接続端子のうちの好きな接続端子に接続可能とし、インスツルメントホースの接続箇所を現場で変更することができ、更には、新型のインスツルメントが開発された時等に、インスツルメントホースの差し替え、或いは、追加できるようにすることを目的としてなされたものである。
【課題を解決するための手段】
【０００７】
請求項１の発明は、歯科ユニット本体側に固定された複数の接続端子のうちの任意の接続端子にワンタッチ形式にて着脱自在に接続される接続端子を有するインスツルメントホースと、該インスツルメントホースの先端に接続されたハンドピースとから成り、該ハンドピース内にはハンドピースの種類ごとに異なる値の電気抵抗を有し、該電気抵抗の値を前記インスツルメントホースを通してユニット本体側で検出して当該ハンドピースを判別し、該ハンドピースが接続されたインスツルメントホースに該ハンドピースに適したエアー，電気，水等を供給するようにしたことを特徴としたものである。
【０００８】
請求項２の発明は、請求項１の発明において、前記電気抵抗の値を可変としたことを特徴としたものである。
【０００９】
請求項３の発明は、請求項１又は２の発明において、前記インスツルメントの接続端子とハンドピースの接続端子には対向した位置にピン挿入孔を有するとともに、これら対向したピン挿入孔に挿入するためのピンを有し、該ピンを通して前記インスツルメントホースとハンドピースを連結するようにしたことを特徴としたものである。
【００１０】
請求項４の発明は、請求項３の発明において、前記ピン挿入孔の位置をハンドピースの種類ごとに異なるようにしたことを特徴としたものである。
【発明の効果】
【００１１】
本発明によると、ユニット側に設けられた複数個の接続端子のうちの任意所望の接続端子にインスツルメントホース側の接続端子を接続可能とするとともに、接続されたインスツルメントホースに適した（換言すれば、接続されたインスツルメントホースに接続されているハンドピースに適した）エアー，電気，水等を供給可能としたので、術者は、ユニット側の一番使い勝手のよい接続端子にインスツルメントホースを接続して使用することができ、効率的に施術することができる。或いは、使用頻度の高いインスツルメントの順に、使い勝手のよい場所に配設されているユニット側接続端子を選んで接続することにより、効率良く歯科治療を行うことができる。
【発明を実施するための最良の形態】
【００１２】
図１は、本発明の一実施例を説明するための要部概略構成図で、ハンドピース８側の接続端子１０とインスツルメントホース９側の接続端子１１とは、ハンドピース８の種類を問わず（ハンドピース８がエアータービンハンドピースであろうと、マイクロエンジンハンドピースであろうと）、全てのハンドピース８と全てのインスツルメントホース９は交換可能に接続可能となっており、また、前述のように、全てのインスツルメントホース９の全ての接続端子１２はワークテーブル２側の全ての接続端子２０に対して接続可能となっている。
【００１３】
上述のように、本発明によると、ユニット（ワークテーブル）２側に設けられた接続端子２０とインスツルメントホース９側に設けられた接続端子１２とは、任意所望の接続端子同志を接続可能であるが、インスツルメントホース９の先端部に設けられた接続端子１１には、それぞれ異なる（例えば、エアータービン、或いは、マイクロエンジン等の）ハンドピース８の接続端子１０が接続されるようになっており、ハンドピース８毎に、インスツルメントホース９を通して供給されるエアー，電気，水等が異なり、例えば、エアータービンにおいては、動力源（タービン回転用）としての圧縮エアー流路、ハンドピース冷却用の水回路、照明光源用の電力線等が配設され、マイクロエンジンにおいては、動力源（モータ駆動用）としての電力線（照明光源の電源を兼ねる）、冷却用の水回路等が配設されており、接続されたハンドピース８に適したエアー，電気，水等を該インスツルメントホース９を通して供給する。
【００１４】
上述のように、本発明においては、ユニット側の各接続端子には、ハンドピースの異なる任意所望のインスツルメントホースを接続することが可能であるが、ユニット側では、接続されたハンドピースに適したエアー，電気，水等をインスツルメントホースに供給する必要がある。そのためには、ユニット側で、該ユニット側に接続されたインスツルメントホースを識別し、該識別されたインスツルメントホース（ハンドピース）に適したエアー，電気，水等を供給するようにする必要がある。
【００１５】
しかし、接続されたインスツルメントホースに該インスツルメントホースに適したエアー，電気，水等を供給するためには、ユニット側において、接続されたインスツルメントホースがどのような種類（用途）のハンドピースが接続されているインスツルメントホースであるかを知らなければ、接続されたインスツルメントホース（ハンドピース）に適したエアー，電気，水等を供給することができない。
【００１６】
本発明は、上述のごとき実情に鑑み、ユニット側において、接続されたインスツルメントホースが何用であるか（例えば、エアータービン用であるか、マイクロエンジン用であるか等）をユニット側の制御部に知らせ、ユニット側で、接続されたインスツルメントホースに適したエアー，電気，水等を供給するようにしたもので、図１において、１４，１５はハンドピース８側の接続端子１０に設けられた導電性のピンで、該ピン１４，１５には、図１（Ｂ）に示すように固定抵抗Ｒ、或いは、図１（Ｃ）に示すように可変抵抗ＶＲが接続されており、ユニット２側ではこの抵抗Ｒ又は可変抵抗ＶＲを読み取って、当該インスツルメントホースに何用のハンドピースが接続されているかを知らせることができる。例えば、抵抗Ｒ又は可変抵抗ＶＲ抵抗値から接続端子２０1にはマイクロエンジン（ＭＥ）ハンドピースが接続されているものと判断し、該マイクロエンジンハンドピースに適した電気，エアー，水等を供給する準備をし、該ハンドピースが使用された時は、該ハンドピースに適した電気，エアー，水等を供給する。斯様にして、ユニット側において、ハンドピース内の抵抗値を検出し、該抵抗値の抵抗が接続されているハンドピースに対応した電気，エアー，水等を供給するようにする。
【００１７】
図２は、本発明の他の実施例を説明するための図で、インスツルメントホース９側の接続端子１１とハンドピース８側の接続端子１０とは対向する位置に所望数（好ましくは４箇）の孔１１1〜１１4（インスツルメントホース側）及び１０1〜１０4（ハンドピース側）有し、孔１０1〜１０4間は電気抵抗（又は短絡）によって連結されるとともに、これらの対向する孔間を導通させる接続バー３１，３２を有する。ここで、例えば、対向する孔１０1，１１1間及び１０2，１１2間に接続バー３１，３２を挿入すると、これら孔間（１０1と１１1間及び１０2と１１2間）がハンドピース８内の抵抗を通して又は短絡によって導通し、ユニット側制御部では、これら孔間に接続されたバー３１，３２を通して、これら孔１０1と１０2の間が接続されたことを検出し、検出した接続バーの位置により、当該インスツルメントホースに接続されたハンドピースを知ることができ、当該接続されたハンドピースに対して、適したエアー，電気，水等を供給する。
【図面の簡単な説明】
【００１８】
【図１】本発明の一実施例を説明するための要部概略構成図である。
【図２】本発明の他の実施例の構成及びその動作を説明するための図である。
【図３】本発明が適用される歯科治療ユニットの一例を示す全体構成図である。
【図４】図３に示したインスツルメントホースをユニット本体にワンタッチにて着脱自在に接続するようにした例を説明するための拡大図である。
【符号の説明】
【００１９】
２…ワークテーブル、８…ハンドピース、９…インスツルメントホース、１０…ハンドピース８の接続端子、１０1〜１０4，１１1〜１１4…ピン挿入孔、１１，１２…インスツルメントホース側接続端子、１４，１５…導電性のピン、２０（２０1〜２０4）…ユニット（ワークテーブル）側接続端子、３１，３２…導電性のバー。
【図１】
2007151866.tif 000003
【図２】
2007151866.tif 000004
【図３】
2007151866.tif 000005
【図４】
2007151866.tif 000006